【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力を有する第１レンズ群、負の屈折率を有する第２レンズ群、正の屈折力を有する第３レンズ群、正の屈折力を有する第４レンズ群より構成され、
ズーミングに際して、前記第２レンズ群と前記第４レンズ群が移動し、前記第３レンズ群は、正レンズと負レンズを有するズームレンズにおいて、
前記第２レンズ群の１枚の負レンズの物体側と像側のレンズ面の曲率半径を各々Ｒｎｆ、Ｒｎｒ、前記第２レンズ群の１枚の正レンズの物体側と像側のレンズ面の曲率半径を各々Ｒｐｆ、Ｒｐｒとするとき、
３．４＜（Ｒｎｆ−Ｒｎｒ）／（Ｒｎｆ＋Ｒｎｒ）＜４．４
−０．７＜（Ｒｐｆ−Ｒｐｒ）／（Ｒｐｆ＋Ｒｐｒ）＜−０．５
なる条件式を満足することを特徴とするズームレンズ。
【請求項２】
広角端における全系の焦点距離をｆｗ、前記第２レンズ群の正レンズの焦点距離と材料のアッベ数を各々ｆ２ｐ、νｄ２ｐとするとき、
３．４＜ｆ２ｐ／ｆｗ＜４．２
νｄ２ｐ＜２０
なる条件式を満足することを特徴とする請求項１に記載のズームレンズ。
【請求項３】
前記第１レンズ群の最も像側のレンズ面の曲率半径をＲ１ｒ、前記第２レンズ群の最も物体側のレンズ面の曲率半径をＲ２ｆとするとき、
−１．５＜（Ｒ１ｒ−Ｒ２ｆ）／（Ｒ１ｒ＋Ｒ２ｆ）＜０．１
なる条件式を満足することを特徴とする請求項１又は２に記載のズームレンズ。
【請求項４】
前記第１レンズ群の焦点距離をｆ１、広角端における全系の焦点距離をｆｗとするとき、
５．５＜ｆ１／ｆｗ＜７．５
なる条件式を満足することを特徴とする請求項１乃至３のいずれか１項に記載のズームレンズ。
【請求項５】
前記第３レンズ群の焦点距離をｆ３、広角端における全系の焦点距離をｆｗとするとき、
４．０＜ｆ３／ｆｗ＜４．６
なる条件式を満足することを特徴とする請求項１乃至４のいずれか１項に記載のズームレンズ。
【請求項６】
広角端におけるバックフォーカスをＢＦｗ、広角端における全系の焦点距離をｆｗとするとき、
２．２＜ＢＦｗ／ｆｗ＜２．６
なる条件式を満足することを特徴とする請求項１乃至５のいずれか１項に記載のズームレンズ。
【請求項７】
広角端での有効像円径が望遠端での有効像円径よりも小さいことを特徴とする請求項１乃至６のいずれか１項に記載のズームレンズ。
【請求項８】
請求項１乃至７のいずれか１項に記載のズームレンズと、該ズームレンズによって形成された像を受光する撮像素子を有することを特徴とする光学機器。
【手続補正２】
【補正対象書類名】明細書
【補正対象項目名】０００９
【補正方法】変更
【補正の内容】
【０００９】
本発明のズームレンズは、物体側より像側へ順に、正の屈折力を有する第１レンズ群、負の屈折率を有する第２レンズ群、正の屈折力を有する第３レンズ群、正の屈折力を有する第４レンズ群より構成され、
ズーミングに際して、前記第２レンズ群と前記第４レンズ群が移動し、前記第３レンズ群は、正レンズと負レンズを有するズームレンズにおいて、
前記第２レンズ群の１枚の負レンズの物体側と像側のレンズ面の曲率半径を各々Ｒｎｆ、Ｒｎｒ、前記第２レンズ群の１枚の正レンズの物体側と像側のレンズ面の曲率半径を各々Ｒｐｆ、Ｒｐｒとするとき、
３．４＜（Ｒｎｆ−Ｒｎｒ）／（Ｒｎｆ＋Ｒｎｒ）＜４．４
−０．７＜（Ｒｐｆ−Ｒｐｒ）／（Ｒｐｆ＋Ｒｐｒ）＜−０．５
なる条件式を満足することを特徴としている。
【手続補正３】
【補正対象書類名】明細書
【補正対象項目名】００１２
【補正方法】変更
【補正の内容】
【００１２】
以下、本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、正の第４レンズ群より構成される。ズーミングに際して、第２レンズ群および第４レンズ群が移動する。フォーカスに際しては第４レンズ群が移動する。第１レンズ群の物体側又は第４レンズ群の像側の少なくとも一方にコンバーターレンズ等の屈折力のあるレンズ群が配置される場合もある。
【手続補正４】
【補正対象書類名】明細書
【補正対象項目名】００４３
【補正方法】変更
【補正の内容】
【００４３】
数値実施例１
面データ
面番号       r        d      nd         νd       
1         66.001    0.95   1.84666    23.9       
2         18.685    4.70   1.63854    55.4       
3       -114.064    0.17                         
4         17.467    2.55   1.83481    42.7       
5         57.960  (可変)                         
6         56.260    0.55   1.88300    40.8       
7          6.522    1.78                         
8        -13.053    0.55   1.77250    49.6       
9          7.582    0.86                         
10          9.936    1.28   1.94595    18.0       
11         39.954  (可変)                         
12(絞り)    ∞       0.90                         
13*         7.121    3.02   1.58313    59.4       
14*       -61.804    0.13                         
15          7.812    0.55   1.84666    23.9       
16          5.584  (可変)                         
17*        12.076    2.80   1.55332    71.7       
18         -6.753    0.50   1.84666    23.8       
19        -11.481  (可変)                         
20          ∞       1.86   1.51633    64.1      
21          ∞     (可変)                        
像面        ∞   
非球面データ
第13面
K =-1.59514e+000  
A 3= 2.75629e-004  A 5= 9.42978e-005  A 7=-4.41243e-006  A 9= 6.41615e-008  
第14面
K =-9.62756e+001  
A 3=-3.00943e-005  A 5= 3.69027e-005  A 7=-3.82587e-006  A 9= 7.15431e-008  
第17面
K = 3.85078e-001  A 4=-2.60194e-004  A 6= 2.39315e-005  A 8=-2.42220e-006 
A10= 9.16438e-008  
各種データ
ズーム比     11.57 
焦点距離       3.82    12.68    44.20  
Fナンバー      1.66     2.09     2.59  
半画角（度）  33.23  10.04   2.86      
像高           2.25     2.25     2.25  
レンズ全長    52.92    52.92    52.92  
BF             8.83    11.90     8.79  
d 5            0.50     9.43    15.14 
d11           15.74     6.81     1.10 
d16            6.55     3.48     6.59 
d19            3.54     6.60     3.49 
d21            4.07     4.07     4.07 
ズームレンズ群データ
群  始面    焦点距離  
1    1      24.19         
2    6      -4.72         
3   12      16.13         
4   17      13.60         
5   20       ∞           
【手続補正５】
【補正対象書類名】明細書
【補正対象項目名】００４４
【補正方法】変更
【補正の内容】
【００４４】
数値実施例２
面データ
面番号       r        d      nd         νd      
1         60.506    0.95   1.84666    23.9     
2         18.017    4.80   1.63854    55.4     
3       -131.671    0.17                       
4         17.081    2.58   1.83481    42.7     
5         55.002  (可変)                       
6        217.822    0.55   1.88300    40.8     
7          5.243    2.08                      
8        -16.069    0.55   1.77250    49.6     
9          9.946    0.69                       
10         10.564    1.18   2.10467    16.7     
11         34.028  (可変)                       
12(絞り)    ∞       0.90                       
13*         7.139    3.02   1.58313    59.4     
14*       -45.493    0.13                       
15          7.847    0.55   1.84666    23.9     
16          5.568  (可変)                       
17*        12.138    3.01   1.55332    71.7     
18         -6.185    0.50   1.84666    23.8     
19        -10.906  (可変)                       
20          ∞       1.86   1.51633    64.1     
21          ∞     (可変)                       
像面        ∞   
非球面データ
第13面
K =-1.60960e+000  
A 3= 2.86941e-004  A 5= 9.68112e-005  A 7=-4.80627e-006  A 9= 7.83192e-008  
第14面
K =-1.05571e+002  
A 3=-9.66093e-005  A 5= 2.71824e-005  A 7=-3.52093e-006  A 9= 7.47196e-008  
第17面
K = 1.94660e+000  A 4=-3.58487e-004  A 6= 3.34266e-005  A 8=-3.78002e-006 
A10= 1.51504e-007  
各種データ
ズーム比     11.83 
広角     中間     望遠
焦点距離       3.60    11.89    42.60  
Fナンバー      1.66     2.13     2.46  
半画角（度）   34.78 10.70    2.99     
像高           2.25     2.25     2.25  
レンズ全長    53.20    53.20    53.20  
BF             8.44    11.69     9.41  
d 5            0.50     9.43    15.14  
d11           15.74     6.81     1.10  
d16            6.88     3.63     5.91  
d19            3.15     6.40     4.12  
d21            4.06     4.06     4.06  
ズームレンズ群データ
群  始面    焦点距離  
1    1      24.01         
2    6      -4.49         
3   12      15.62         
4   17      13.68         
5   20       ∞           
【手続補正６】
【補正対象書類名】明細書
【補正対象項目名】００４５
【補正方法】変更
【補正の内容】
【００４５】
数値実施例３
面データ
面番号       r        d      nd         νd       
1         64.618    0.95   1.84666    23.9      
2         18.650    4.70   1.63854    55.4      
3       -116.689    0.17                        
4         17.405    2.55   1.83481    42.7      
5         57.484  (可変)                        
6        122.438    0.55   1.88300    40.8      
7          6.210    1.91                        
8        -14.456    0.55   1.77250    49.6      
9          8.260    0.81                        
10         10.327    1.56   1.94595    18.0      
11         52.160  (可変)                        
12(絞り)    ∞       0.90                        
13*         7.140    2.99   1.58313    59.4      
14*       -62.269    0.13                        
15          7.847    0.55   1.84666    23.9      
16          5.600  (可変)                        
17*        12.179    2.93   1.55332    71.7      
18         -6.735    0.50   1.84666    23.8      
19        -11.586  (可変)                        
20          ∞       1.86   1.51633    64.1      
21          ∞     (可変)                        
像面        ∞   
非球面データ
第13面
K =-1.59521e+000  
A 3= 2.90600e-004  A 5= 9.54730e-005  A 7=-4.48927e-006  A 9= 6.51546e-008  
第14面
K =-9.60700e+001  
A 3=-7.17152e-006  A 5= 3.72875e-005  A 7=-3.93169e-006  A 9= 7.41615e-008  
第17面
K = 1.47662e-001  A 4=-2.27188e-004  A 6= 2.28843e-005  A 8=-2.26984e-006 
A10= 8.48915e-008  
各種データ
ズーム比     11.59 
広角     中間     望遠
焦点距離       3.82    12.58    44.24  
Fナンバー      1.66     2.09     2.64  
半画角（度）   33.25 10.12    2.86      
像高           2.25     2.25     2.25  
レンズ全長    53.51    53.51    53.51  
BF             8.85    11.89     8.72  
d 5            0.50     9.43    15.14  
d11           15.74     6.81     1.10  
d16            6.68     3.63     6.80  
d19            3.56     6.61     3.44  
d21            4.06     4.06     4.06  
ズームレンズ群データ
群  始面    焦点距離  
1    1      24.09         
2    6      -4.73         
3   12      16.24         
4   17      13.83         
5   20       ∞           
【手続補正７】
【補正対象書類名】明細書
【補正対象項目名】００４６
【補正方法】変更
【補正の内容】
【００４６】
数値実施例４
面データ
面番号       r        d      nd         νd       
1         59.879    0.95   1.84666    23.9      
2         18.152    4.77   1.63854    55.4      
3       -131.017    0.17                        
4         17.236    2.57   1.83481    42.7      
5         56.402  (可変)                        
6        200.730    0.55   1.88300    40.8      
7          5.604    2.03                        
8        -16.480    0.55   1.80400    46.6      
9          9.329    0.82                        
10         10.868    1.16   2.10467    16.7      
11         35.008  (可変)                        
12(絞り)    ∞       0.90                        
13*         7.122    2.99   1.58313    59.4      
14*       -53.886    0.13                        
15          7.963    0.55   1.84666    23.9      
16          5.619  (可変)                        
17*        12.135    3.31   1.55332    71.7      
18         -6.365    0.50   1.84666    23.8      
19        -10.827  (可変)                        
20          ∞       1.86   1.51633    64.1      
21          ∞     (可変)                        
像面        ∞   
非球面データ
第13面
K =-1.65630e+000  
A 3= 3.01286e-004  A 5= 9.37755e-005  A 7=-4.68275e-006  A 9= 7.33688e-008  
第14面
K =-1.27666e+002  
A 3=-7.84933e-005  A 5= 1.84564e-005  A 7=-3.20728e-006  A 9= 6.74175e-008  
第17面
K = 2.37090e+000  A 4=-4.25885e-004  A 6= 3.03188e-005  A 8=-3.52640e-006 
A10= 1.38179e-007  
各種データ
ズーム比     12.16 
広角     中間     望遠
焦点距離       3.60    12.00    43.73  
Fナンバー      1.66     2.11     2.50  
半画角（度）   34.83 10.59    2.90      
像高           2.25     2.25     2.25  
レンズ全長    53.47    53.47    53.47  
BF             8.54    11.70     9.05  
d 5            0.50     9.43    15.14  
d11           15.74     6.81     1.10  
d16            6.75     3.59     6.24  
d19            3.25     6.41     3.76  
d21            4.06     4.06     4.06  
ズームレンズ群データ
群  始面    焦点距離  
1    1      23.94         
2    6      -4.49         
3   12      16.10         
4   17      13.42         
5   20       ∞           
【手続補正８】
【補正対象書類名】明細書
【補正対象項目名】００４７
【補正方法】変更
【補正の内容】
【００４７】
数値実施例５
面データ
面番号       r        d      nd         νd       
1         43.129    0.95   1.84666    23.9      
2         17.561    4.52   1.60311    60.6      
3      -1112.865    0.17                        
4         18.476    2.77   1.83481    42.7      
5         71.073  (可変)                        
6         84.205    0.55   1.88300    40.8      
7          6.143    1.97                        
8        -13.429    0.55   1.80400    46.6      
9          8.273    0.83                        
10         10.689    1.17   2.14352    17.8      
11         34.396  (可変)                        
12(絞り)    ∞       0.90                        
13*         7.357    2.94   1.58313    59.4      
14*       -62.985    0.13                        
15          7.915    0.55   1.84666    23.9      
16          5.743  (可変)                        
17*        12.872    2.84   1.55332    71.7      
18         -6.735    0.50   1.84666    23.8      
19        -11.712  (可変)                        
20          ∞       1.86   1.51633    64.1      
21          ∞     (可変)                        
像面        ∞   
非球面データ
第13面
K =-1.80040e+000  
A 3= 3.13957e-004  A 5= 1.00850e-004  A 7=-3.74248e-006  A 9= 4.73495e-008  
第14面
K =-3.19258e+001  
A 3=-3.73458e-005  A 5= 4.79503e-005  A 7=-3.14180e-006  A 9= 4.89477e-008  
第17面
K = 2.49680e+000  A 4=-3.45720e-004  A 6= 1.99827e-005  A 8=-2.02421e-006 
A10= 6.96083e-008  
各種データ
ズーム比     14.57 
広角     中間     望遠
焦点距離       3.77    13.29    54.95  
Fナンバー      1.66     2.14     2.95  
半画角（度）   33.58 9.63     2.31      
像高           2.25     2.25     2.25  
レンズ全長    55.57    55.57    55.57  
BF             9.14    12.85     8.36  
d 5            0.50    10.04    16.14  
d11           16.74     7.20     1.10  
d16            7.86     4.14     8.63  
d19            3.85     7.56     3.07  
d21            4.06     4.06     4.06  
ズームレンズ群データ
群  始面    焦点距離  
1    1      25.11         
2    6      -4.51         
3   12      16.42         
4   17      14.41         
5   20       ∞           
【手続補正９】
【補正対象書類名】明細書
【補正対象項目名】００４８
【補正方法】変更
【補正の内容】
【００４８】
【表１】
2011227240.tif 000001
【手続補正１０】
【補正対象書類名】明細書
【補正対象項目名】００５０
【補正方法】変更
【補正の内容】
【００５０】
上記表示素子は液晶パネル等によって構成され、固体撮像素子１２上に形成された被写体像が表示される。このように本発明のズームレンズをビデオカメラ等の撮像装置に適用することにより、小型で高い光学性能を有する撮像装置が実現できる。